(57)【要約】【課題】  情報記録媒体のファイルの一部のデータを未記録にしておき、しかるべき手続後に、この未記録部分に正式なデータを記録して完全なファイルを完成することにより、不正に制限解除されてしまう危険性を防止すると共に、コンテンツデータの保証を容易に実現した情報記録媒体及び装置を提供する。【解決手段】  まず、ファイル読み出し処理を実行すると、ファイル管理情報から、ファイル３４のアドレス・サイズを確認する（Ｓ１）。ここで得られた情報から、ファイル３４の後に記録されている所定のデータ３０を読み出す（Ｓ２）。データ読み出し中に未記録部分３１が存在するか否かを確認し（Ｓ３）、未記録部分３１が存在した場合は（Ｓ３でＹＥＳのルート）、ファイルの読み出し処理を中止する（Ｓ４）。そして、読み出しが完了したデータ（この場合はセクタ３０のデータ）を取得する（Ｓ５）。【選択図】  図５
2005158144.tif 000002
【特許請求の範囲】
【請求項１】
コンテンツデータが記録されたファイルと、少なくとも当該ファイルのアドレスとサイズが含まれるファイル管理情報とを記録した情報記録媒体であって、
前記ファイルのアドレスが前記情報記録媒体のセクタ単位であり、前記ファイルのサイズが前記情報記録媒体の最小情報単位である場合、前記ファイルが記録されている領域内の一部を未記録としておくことを特徴とする情報記録媒体。
【請求項２】
前記ファイルの未記録部は、前記情報記録媒体のセクタ単位であることを特徴とする請求項１に記載の情報記録媒体。
【請求項３】
前記請求項１及び２に記載の情報記録媒体を使用する情報再生装置であって、
前記ファイル管理情報から前記ファイルのアドレスとサイズを確認後、前記ファイルのデータを読み出し、該読み出し中に前記未記録部を検出した場合、当該ファイルの読み出しを中断し、既に読み出しが完了したデータを取得することを特徴とする情報再生装置。
【請求項４】
前記請求項１及び２に記載の情報記録媒体を使用する情報記録再生装置であって、
前記ファイル管理情報から前記ファイルのアドレスとサイズを確認後、前記ファイルのデータを読み出し、該読み出し中に前記未記録部を検出した場合、該未記録部に所定のデータ記録処理を行うことにより、前記ファイルを完全なファイルとすることを特徴とする情報記録再生装置。
【請求項５】
ファイルのアドレスとサイズが含まれるファイル管理情報からファイルのアドレスとサイズを確認後、前記ファイルのデータを読み出し、該読み出し中に未記録部を検出した場合、当該ファイルの読み出しを中断し、既に読み出しが完了したデータを取得することを特徴とする情報再生方法。
【請求項６】
ファイルのアドレスとサイズが含まれるファイル管理情報からファイルのアドレスとサイズを確認後、前記ファイルのデータを読み出し、該読み出し中に未記録部を検出した場合、該未記録部に所定のデータ記録処理を行うことにより、前記ファイルを完全なファイルとすることを特徴とする情報記録再生方法。
【発明の詳細な説明】
【技術分野】
【０００１】
本発明は、情報記録媒体とそれを使用した情報記録再生装置に関し、さらに詳しくは、情報記録媒体に記録されたデジタル情報の取り扱いと保護方法に関するものである。
【背景技術】
【０００２】
近年、アプリケーションソフトウェア、静止画、動画などのコンテンツは、その大容量化に伴いＣＤ−ＲＯＭなどの媒体にファイルの形態で記録されて配布（販売）されるのが一般的である。また、近年読取専用領域（以下ＲＯＭ部とする）と、書き込み可能領域もしくは書き換え可能領域（以下ＲＡＭ部とする）を持つＣＤ（ハイブリッドディスク）が開発されており、このディスクを上記ＣＤ−ＲＯＭの代替として、ＲＯＭ部に予めコンテンツを書き込んだ状態で配布（販売）することが提案されている。このようなハイブリッドディスクでは、既存のディスクとの互換性を確保するために、１ｓｔセッションをＲＯＭ部としてスタンプし、それ以降の領域をＲＡＭ部として扱うものがある。こうすることにより、ハイブリッドディスクを認識できないシステムにおいてもマルチセッション記録されたディスクとして取り扱うことが可能となり、少なくとも読み取り互換性を確保することが可能となる。
また、これらの媒体は一般に最小記録／再生単位は、最小情報単位と異なっている。具体的には、ＣＤ媒体においては、最小記録／再生単位はセクタであり、最小情報単位はバイト（もしくはビット）である。また、複数のファイルが記録されているような場合に、それぞれのファイルの所在を容易に取得するために、何らかのファイル管理情報を同時に記録することが一般的である。このファイル管理情報は、各ファイルの媒体上の所在地（以下アドレスと呼ぶ）、容量（以下サイズと呼ぶ）、作成日等の情報が含まれており、あるファイルを使用するような場合には、最初にこの管理情報を用いてファイルの媒体上のアドレス、サイズを特定し、次に媒体上の該当するアドレスを読み出すことで、ファイルの実体を取得している。そしてファイルの存在するアドレスは、一般的に媒体の最小記録／再生単位（ＣＤ媒体ではセクタであり、以下便宜上セクタと表現する）以上の値である。これは、最小情報単位で表現すると、そのアドレスを示すために必要な情報量が増大し、実際に記録・管理可能なファイル数が減少してしまうためであり、また管理情報の簡略化するためである。
【０００３】
このようなディスクの一利用形態として、あらかじめディスクにコンテンツ（例えば動画）の体験版（例えば完全な動画の先頭部分のみ）を記録しておき、しかるべき手続き（課金やパスワード入力等）を経た後には、たとえばネットワーク等により完全版となるデータをダウンロードするシステムが提案されている。
これに対し、ディスク上にはあらかじめ完全なコンテンツデータを記録しておき、当初は体験版としての制限をかけた取り扱いのみを許可し、しかるべき手続きを実施した後には、完全版としての取り扱いを許可する方法も提案されている。
また従来技術として特開２０００−２３１７５９公報には、読み出しできない不良部分を含む記録方法として、不良部分以降の読み出しすべき位置を特定する情報とを備えて記録する方法が開示されており、特開２００２−０５０１３１公報には、既に記録されているデータと、追記したデータを組み合わせてファイルを管理する手法が開示されており、特開平０９−２８８８８４号公報には、追記型記録媒体にデータを追記する際、管理情報を記録するためにリザーブする手段を有する装置が開示されている。
【特許文献１】特開２０００−２３１７５９公報
【特許文献２】特開２００２−０５０１３１公報
【特許文献３】特開平０９−２８８８８４号公報
【発明の開示】
【発明が解決しようとする課題】
【０００４】
しかしながら、従来のネットワーク等により完全版となるデータをダウンロードするシステムの場合、ネットワークでダウンロードするデータ量が膨大となるケースが多く、それに伴い、通信中のエラーによるコンテンツデータの保証をどのように行うかといった課題がある。
また、ディスク上にはあらかじめ完全なコンテンツデータを記録しておく場合では、もともと記録されているデータが完全なものであるため、不正に制限解除されてしまう危険性が存在するといった問題がある。
また、特許文献１〜３に開示されている従来技術は、何れも管理情報による管理方法であり、不正に制限解除されてしまう危険性を回避することはできない。
本発明は、かかる課題に鑑み、情報記録媒体のファイルの一部のデータを未記録にしておき、しかるべき手続後に、この未記録部分に正式なデータを記録して完全なファイルを完成することにより、不正に制限解除されてしまう危険性を防止すると共に、コンテンツデータの保証を容易に実現した情報記録媒体及び装置を提供することを目的とする。
【課題を解決するための手段】
【０００５】
本発明はかかる課題を解決するために、請求項１は、コンテンツデータが記録されたファイルと、少なくとも当該ファイルのアドレスとサイズが含まれるファイル管理情報とを記録した情報記録媒体であって、前記ファイルのアドレスが前記情報記録媒体のセクタ単位であり、前記ファイルのサイズが前記情報記録媒体の最小情報単位である場合、前記ファイルが記録されている領域内の一部を未記録としておくことを特徴とする。
従来から課金やパスワードを入力後に完全版のコンテンツデータを提供する場合、ネットワークを介してダウンロードする方法ではデータが膨大になり、エラーによるコンテンツデータの保証といった課題があり、また、予めディスクに完全版を記録しておく方法では、不正に制限解除されてしまう危険性があった。そこで本発明では、ファイルが記録されている領域内の一部を未記録としておき、データを読み出した場合に未記録部分でエラーとなって、それ以上読み取れなくするものである。
かかる発明によれば、情報記録媒体内のファイルが記録されている領域内の一部を未記録としておくので、簡単な方法で確実に不正使用を防止することができる。
請求項２は、前記ファイルの未記録部は、前記情報記録媒体のセクタ単位であることを特徴とする。
ファイルのアドレスが情報記録媒体のセクタ単位である場合、そのセクタ単位で情報を欠落しておけば管理も容易となり、後で正式な情報を記録する場合に便利である。
かかる発明によれば、ファイルの未記録部は、情報記録媒体のセクタ単位であるので、ファイル管理も容易となり、後で正式な情報を記録する場合に記録アドレスの検索が容易となる。
【０００６】
請求項３は、前記請求項１及び２に記載の情報記録媒体を使用する情報再生装置であって、前記ファイル管理情報から前記ファイルのアドレスとサイズを確認後、前記ファイルのデータを読み出し、該読み出し中に前記未記録部を検出した場合、当該ファイルの読み出しを中断し、既に読み出しが完了したデータを取得することを特徴とする。
ディスクの一利用形態として、あらかじめディスクにコンテンツ（例えば動画）の体験版（例えば完全な動画の先頭部分のみ）を記録しておき、しかるべき手続き（課金やパスワード入力等）を経た後には、完全版となるデータを記録することが考えられる。そこで本発明では、この体験版を作成する方法として、ファイルのデータを読み出し、この読み出し中に未記録部を検出した場合、このファイルの読み出しを中断して、既に読み出しが完了したデータを取得することにより体験版を作成することができる。
かかる発明によれば、ファイルのデータを読み出し中に未記録部を検出した場合、当該ファイルの読み出しを中断し、既に読み出しが完了したデータを取得するので、体験版を容易に作成することができる。
【０００７】
請求項４は、前記請求項１及び２に記載の情報記録媒体を使用する情報記録再生装置であって、前記ファイル管理情報から前記ファイルのアドレスとサイズを確認後、前記ファイルのデータを読み出し、該読み出し中に前記未記録部を検出した場合、該未記録部に所定のデータ記録処理を行うことにより、前記ファイルを完全なファイルとすることを特徴とする。
しかるべき手続き（課金やパスワード入力等）を経た後には、完全版となるデータを記録する必要がある。そこで本発明では、ファイルのデータを読み出し、この読み出し中に未記録部分を検出した場合、この未記録部に所定のデータ記録処理（未記録部に正式なデータを記録する処理）を行う。これにより、完全なファイルを完成することができる。
かかる発明によれば、ファイルのデータを読み出し、この読み出し中に未記録部を検出した場合、この未記録部に所定のデータ記録処理を行うので、少ないデータ量で完全なファイルを完成することができる。
請求項５は、ファイルのアドレスとサイズが含まれるファイル管理情報からファイルのアドレスとサイズを確認後、前記ファイルのデータを読み出し、該読み出し中に未記録部を検出した場合、当該ファイルの読み出しを中断し、既に読み出しが完了したデータを取得することを特徴とする。
かかる発明によれば、請求項３と同様の作用効果を奏する。
請求項６は、ファイルのアドレスとサイズが含まれるファイル管理情報からファイルのアドレスとサイズを確認後、前記ファイルのデータを読み出し、該読み出し中に未記録部を検出した場合、該未記録部に所定のデータ記録処理を行うことにより、前記ファイルを完全なファイルとすることを特徴とする。
かかる発明によれば、請求項４と同様の作用効果を奏する。
【発明の効果】
【０００８】
以上記載のごとく請求項１の発明によれば、情報記録媒体内のファイルの実体が記録されている領域内の一部を未記録としておくので、簡単な方法で確実に不正使用を防止することができる。
また請求項２では、ファイルの未記録部は、情報記録媒体のセクタ単位であるので、ファイル管理も容易となり、後で正式な情報を記録する場合に記録アドレスの検索が容易となる。
また請求項３、５では、ファイルのデータを読み出し中に未記録部を検出した場合、当該ファイルの読み出しを中断し、既に読み出しが完了したデータを取得するので、体験版を容易に作成することができる。
また請求項４、６では、ファイルのデータを読み出し、この読み出し中に未記録部を検出した場合、この未記録部に所定のデータ記録処理を行うので、少ないデータ量で完全なファイルを完成することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態の光ディスク装置の構成を示すブロック図である。この光ディスク装置は、スピンドルモータ２により回転駆動されるＣＤもしくはＤＶＤの光ディスク１と、ＣＬＶ（Constant Linear Velocity：線速一定）もしくはＣＡＶ（Constant Angular Velocity：回転数一定）制御されるスピンドルモータ２と図示しない光ピックアップ３内のアクチュエータを駆動するモータドライバ４と、このモータドライバ４にサーボ制御のための信号を生成するサーボ手段６と、前記光ピックアップ３内の図示しない受光素子からの各信号を演算処理するリードアンプ５と、図示しないＣＤ用の半導体レーザ光源とのＤＶＤ用半導体レーザ光源、対物レンズ等の光学系、及びアクチュエータを内蔵した光ピックアップ３と、レーザ光源の光量等を制御するレーザコントローラ９と、光ディスク１に刻まれているＡＴＩＰ（Absolute Time In Pre-groove）情報を取り出すＡＴＩＰデコーダ８と、データの正確な書き出し位置を生成するＣＤエンコーダ回路１０と、２値化されたＲＦ信号をＥＦＭ（Eight to Fourteen Modulation）変調するＣＤデコーダ７と、データを一時記憶するバッファＲＡＭ１２と、このバッファＲＡＭ１２を制御するバッファマネージャ１３と、バッファＲＡＭ１２に接続され、ＡＴＡＰＩやＳＣＳＩインターフェイスを有するＡＴＡＰＩ／ＳＣＳＩインターフェイス１５と、ＣＤデコーダ７に接続され、オーディオ信号を出力するＤ／Ａコンバータ１６と、エラー訂正コードの不可やインターリーブ（並べ替え）が行われた後ＥＦＭ変調するＣＤ−ＲＯＭエンコーダ１１と、ＥＦＭ復調されたデータをデインタリーブ（並べ替え直し）とエラー訂正の処理をするＣＤ−ＲＯＭデコーダ１４と、ＲＯＭ１７とＲＡＭ１９を有し、全体の制御を司るシステムコントローラ（ＣＰＵ）１８から構成されている。
【００１０】
次に、図１を使いＣＤ系（ＣＤ−ＲＯＭ／Ｒ／ＲＷ）の動作説明を行う。この図１において、矢印はデータが主に流れる方向を示しており、また、図を簡略化するために、図１の各ブロックを制御するＣＰＵ１８には、太線のみを付けて各ブロックとの接続を省略している。光ディスクドライブの構成と動作は、次のとおりである。光ディスク１は、スピンドルモータ２によって回転駆動される。このスピンドルモータ２は、モータドライバ４とサーボ手段５により、線速度が一定になるように制御される。この線速度は、階段的に変更することが可能である。光ピックアップ３は、図示されない半導体レーザ、光学系、フォーカスアクチュエータ、トラックアクチュエータ、受光素子およびポジションセンサを内蔵しており、レーザ光ＬＢを光ディスク１に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基いて、モータドライバ４とサーボ手段５により、レーザ光ＬＢのスポットが光ディスク１上の目的の場所に位置するように制御される。そして、リード時には、光ピックアップ３によって得られた再生信号が、リードアンプ５で増幅されて２値化された後、ＣＤデコーダ７に入力される。入力された２値化データは、このＣＤデコーダ７において、ＥＦＭ復調される。なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
復調されたデータは、デインターリーブとエラー訂正の処理が行われる。その後、このデータは、ＣＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェイス１５を介して、図示しないホストコンピュータへ一気に転送される。なお、音楽データの場合には、ＣＤデコーダ７から出力されたデータが、Ｄ／Ａコンバータ１６へ入力され、アナログのオーディオ出力信号Ａｕｄｉｏとして取り出される。
【００１１】
また、ライト時には、ＡＴＡＰＩ／ＳＣＳＩインターフェイス１５を通して、ホストコンピュータから送られてきたデータは、バッファマネージャ１３によって一旦バッファＲＡＭ１２に蓄えられる。そして、バッファＲＡＭ１２内にある程度の量のデータが蓄積された状態で、ライト動作が開始されるが、この場合には、その前にレーザスポットを書き込み開始地点に位置させる必要がある。この地点は、トラックの蛇行により予め光ディスク１上に刻まれているウォブル信号によって求められる。ウォブル信号には、ＡＴＩＰと呼ばれる絶対時間情報が含まれており、この情報が、ＡＴＩＰデコーダ８によって取り出される。また、このＡＴＩＰデコーダ８によって生成される同期信号は、ＣＤエンコーダ１０へ入力され、光ディスク１上の正確な位置へのデータの書き込みを可能にしている。バッファＲＡＭ１２のデータは、ＣＤ−ＲＯＭエンコーダ１１やＣＤエンコーダ１０において、エラー訂正コードの付加や、インターリーブが行われ、レーザコントローラ９、光ピックアップ３を介して、光ディスク１に記録される。
なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００１２】
図２は光ディスクのフォーマットを表す図である。このフォーマット２１は、セクタ０から順にセクタ番号が与えられる。このセクタ番号は、アドレスとして使用される。そしてセクタは、一般にＣＤでは１セクタ当たりのデータ量は２０４８バイトである。
図３はファイル管理情報としてＣＤ媒体に対して用いられることの多いＩＳＯ９６６０ファイルシステムレイアウトの一例を示す図である。このレイアウトは、ディスクに記録されている一連のファイル群（以下ボリュームと呼ぶ）に関する情報が記録されているＰＶＤ（Primary Volume Descriptor）２２と、Volume Descriptorの終端を示すＴＤ（Terminate Descriptor）２３と、ボリューム中の全ディレクトリ情報（ディレクトリ名、アドレス、親ディレクトリなど）を並べたテーブルＰＴ（Path Table）２４と、各ディレクトリに含まれるファイルやディレクトリ情報（名前、アドレス、ファイルサイズなど）が記録されるＤＲ（Directory Record）２５と、ファイルの実体が記録されるＦＥ（File Extent）２６とを備えて構成される。
通常、ＣＤがドライブに装着された後、ＰＶＤ２２から順にVolume Descriptorが読み取られる。次に、ＰＶＤ２２に記録されているアドレス情報からＰＴ２４を読みこむ。以下、アクセスしたいファイルが存在するディレクトリを読みこんだＰＴ２４より検索し、ＰＴ２４に記録されているＤＲ２５のアドレス情報からＤＲ２５を読みこみ、ＤＲ２５に記録されているアドレス情報からＦＥ２６を読みこむ。
【００１３】
図４は本発明の情報記録方法を適用したレイアウト例を示す図である。図３のＦＥ２６の領域に記録されているコンテンツデータファイル３４が例えば、セクタ３０、３１、３２（セクタの途中まで記録）により構成されていた場合、セクタ３０と３２の途中に未記録部セクタ３１が存在することを示している。
このようにファイルを構成することにより、従来から課金やパスワードを入力後に完全版のコンテンツデータを提供する場合、ネットワークを介してダウンロードする方法ではデータが膨大になり、エラーによるコンテンツデータの保証といった課題があり、また、予めディスクに完全版を記録しておく方法では、不正に制限解除されてしまう危険性があった。そこで本実施形態では、ファイル３４が記録されている領域内の一部を未記録部分３１としておき、データを読み出した場合に未記録部分３１でエラーとなって、それ以上読み取れなくするものである。これにより、簡単な方法で確実に不正使用を防止することができる。また、ファイルのアドレスが情報記録媒体のセクタ単位である場合、そのセクタ単位で情報を欠落しておけば管理も容易となり、後で正式な情報を記録する場合に便利である。
図５は図４の記録方法に基づき記録された情報記録媒体の情報再生時の動作について説明するフローチャートである。まず、ファイル読み出し処理を実行すると、ファイル管理情報から、ファイル３４のアドレス・サイズを確認する（Ｓ１）。ここで得られた情報から、ファイル３４の後に記録されている所定のデータ３０を読み出す（Ｓ２）。データ読み出し中に未記録部分３１が存在するか否かを確認し（Ｓ３）、未記録部分３１が存在した場合は（Ｓ３でＹＥＳのルート）、ファイルの読み出し処理を中止する（Ｓ４）。そして、読み出しが完了したデータ（この場合はセクタ３０のデータ）を取得する（Ｓ５）。これにより、図４の記録方法により記録された媒体から、未記録部分３１の前までのデータ（この場合はセクタ３０のデータ）を取得することができるようになる。
従来からディスクの一利用形態として、あらかじめディスクにコンテンツ（例えば動画）の体験版（例えば完全な動画の先頭部分のみ）を記録しておき、しかるべき手続き（課金やパスワード入力等）を経た後には、完全版となるデータを記録することが考えられる。そこで本実施形態では、この体験版を作成する方法として、ファイル３４のデータを読み出し、この読み出し中に未記録部分３１を検出した場合、このファイルの読み出しを中断して、既に読み出しが完了したデータ（セクタ３０）を取得することにより体験版を作成することができる。
【００１４】
図６は図４の記録方法に基づき記録された情報記録媒体の情報記録方法について説明するフローチャートである。まず、ファイル読み出し処理を実行すると、ファイル管理情報から、ファイル３４のアドレス・サイズを確認する（Ｓ１１）。ここで得られた情報から、ファイル３４の後に記録されている所定のデータ３０を読み出す（Ｓ１２）。データ読み出し中に未記録部分３１が存在するか否かを確認し（Ｓ１３）、未記録部分３１が存在した場合は（Ｓ１３でＹＥＳのルート）、未記録部分３１に所定のデータ記録処理を実施する（Ｓ１４）。これにより、図４の記録方法により記録されたデータを、完全なものとすることができるようになる。
しかるべき手続きを経た後には、完全版となるデータを記録する必要がある。そこで本実施形態では、ファイル３４のデータを読み出し、この読み出し中に未記録部分３１を検出した場合、この未記録部分３１に所定のデータ記録処理（未記録部に正式なデータを記録する処理）を行う。これにより、完全なファイルを完成することができる。
ここで、「しかるべき手続き」に関して説明する。現在、高速通信回線のインフラが低コストで使用できる環境が整いつつあるため、オンラインによるコンテンツ販売が一般化している。このような場合、コンテンツ（正式版）を使用するための課金はオンラインで実施されることが多い。コンテンツにかかる料金を個別に支払う場合には、所定のホームページ等にアクセスして、ホームページ上で例えばクレジットカード番号などを入力し、カード会社の審査を実施した後で正式版ダウンロード用のホームページアドレスを通知されるケース（この場合、専用ホームページアクセス用のアカウントとパスワードを同時に通知される場合もある）や、既にコンテンツ販売会社のアカウントを所持しているような場合では、当該アカウントとパスワードを入力することで、自動的に決済まで終了させることが可能になる場合もある。
尚、図５、図６のフローチャートはクライアントＰＣ、例えば、ハードディスクに格納されているプログラムに基づいて、クライアントＰＣのＣＰＵが実行する処理であり、この処理に従って、クライアントＰＣに接続されたＣＤ−Ｒ／ＲＷドライブ等の光ディスク装置がその処理に対応した処理を実行するものである。
【図面の簡単な説明】
【００１５】
【図１】本発明の実施形態の光ディスク装置の構成を示すブロック図である。
【図２】光ディスクのフォーマットを表す図である。
【図３】ファイル管理情報としてＣＤ媒体に対して用いられることの多いＩＳＯ９６６０ファイルシステムレイアウトの一例を示す図である。
【図４】本発明の情報記録方法を適用したレイアウト例を示す図である。
【図５】本発明の図４の記録方法に基づき記録された情報記録媒体の情報再生時の動作について説明するフローチャートである。
【図６】本発明の図４の記録方法に基づき記録された情報記録媒体の情報記録方法について説明するフローチャートである。
【符号の説明】
【００１６】
１  光ディスク、２  スピンドルモータ、３  光ピックアップ、４  モータドライバ、５  リードアンプ、６  サーボ手段、７  ＣＤデコーダ、８  ＡＴＩＰデコーダ、９  レーザコントローラ、１０  ＣＤエンコーダ回路、１１  ＣＤ−ＲＯＭエンコーダ、１２  バッファＲＡＭ、１３  バッファマネージャ、１４  ＣＤ−ＲＯＭデコーダ、１５  ＡＴＡＰＩ／ＳＣＳＩインターフェイス、１６  Ｄ／Ａコンバータ、１７  ＲＯＭ、１８  システムコントローラ（ＣＰＵ）、１９  ＲＡＭ
【図１】
2005158144.tif 000003
【図２】
2005158144.tif 000004
【図３】
2005158144.tif 000005
【図４】
2005158144.tif 000006
【図５】
2005158144.tif 000007
【図６】
2005158144.tif 000008